(57)【要約】【課題】    必要スペースを少なくし、接続する電線の引き回しを単純にすることができる端子変換アダプタを提供する。【解決手段】    ブレーカ端子部２１に接続可能な延接部４２と電線接続が可能な端子５へ接続する端子接続部４２を有する接続導体４と、ブレーカ２に隣接して配置され前記延接部４１と端子接続部４２の一部もしくは全部を収納したケース３とを備え、前記端子接続部４２が、ブレーカのもう一方の端子部２２と同方向に電線接続されるように配置されたことを特徴とする。【選択図】      図２
2005135654.tif 000002
【特許請求の範囲】
【請求項１】
ブレーカ端子部に接続可能な延接部と電線接続が可能な端子へ接続する端子接続部を有する接続導体と、ブレーカに隣接して配置され前記延接部と端子接続部の一部もしくは全部を収納したケースとを備え、前記端子接続部が、ブレーカのもう一方の端子部と同方向に電線接続されるように配置されたことを特徴とする端子変換アダプタ。
【請求項２】
前記延接部は、プラグイン端子を有するブレーカのプラグイン端子部に接続可能で、
前記端子接続部は、電線と接続可能な接続端子に接続されることを特徴とする請求項１に記載の端子変換アダプタ。
【請求項３】
前記ケースは、ブレーカ固定部と機器取付部を有することを特徴とする端子変換アダプタ。
【請求項４】
前記ケースは、機器取付用レールに取り付け可能な溝を有することを特徴とする請求項１の端子変換アダプタ。
【請求項５】
前記ケースに隣接して配置されるブレーカのハンドルロックが設けられていることを特徴とする請求項１の端子変換アダプタ。
【請求項６】
前記ケース内に、変流器を有することを特徴とする請求項１の端子変換アダプタ。
【請求項７】
前記延接部は、複数のブレーカが取り付けられるように端子接続部が延びる方向と直角方向に延設されていることを特徴とする請求項１の端子変換アダプタ。
【請求項８】
前記アダプタをはさみ、両側にブレーカが取り付け可能であることを特徴とする請求項７の端子変換アダプタ。
【請求項９】
前記延接部は三段に構成されていることを特徴とする請求項７の端子変換アダプタ。
【請求項１０】
前記延接部は複数段に形成され、延接部の間隔が、可変調整できることを特徴とする請求項１の端子変換アダプタ。
【請求項１１】
前記請求項１〜１０に記載の端子変換アダプタがボックス内に納められていることを特徴とする盤。
【発明の詳細な説明】
【技術分野】
【０００１】
本発明は、端子変換アダプタに関し、より詳細には、電線を直接接続できないプラグイン端子を有するブレーカに取り付ける端子変換アダプタおよびこの端子変換アダプタを用いた盤に関するものである。
【背景技術】
【０００２】
従来、１００ボルト用、２００ボルト用の切り替えが簡単にできる単相３段式分電盤に使用するブレーカとして、特開２００２−１９９５１４号公報に示されるようなプラグイン式配線用遮断器が知られている。
【０００３】
この従来例のブレーカは、ケースにバー端子と速結端子が収納されて構成されている。１つのバー端子と１つの速結端子はケース内部で接続されて、一対の電路を形成する。すなわち、２対の電路がケース内部に収納されている。このブレーカのバー端子は、ケースから外側に突出した構造となっている。
【０００４】
ブレーカは、長手方向の一端にプラグイン端子、他端に速結端子を有している。プラグイン端子を、前記バー端子に接続した時、ケースは、ブレーカの長手方向に配置する構成となっている。
【０００５】
また、ケースの幅は、ブレーカの幅に対し、突出しない構成となっているので、ブレーカの幅方向に対し盤を薄型に構成できるという効果を有している。
【０００６】
しかしながら、上記従来例のブレーカでは、ケースがブレーカの長手方向に接続されている上、電線を長手方向の両側から接続する構造をしている。そのため、ブレーカを取り付けて使用するために確保しなければならないスペースが、ブレーカの長手方向に長くなるという問題があった。
【０００７】
また、電線を接続する時に、長手方向の両側から電線を接続する必要があるので、電線の引き回しが複雑になるという問題があった。
【０００８】
電気工事などにおいては、単独あるいは複数のブレーカを鉄板や木板に仮設する場合がある。そのような場合において、上記従来例のブレーカでは、ブレーカを鉄板や木板に固定するための構造を有しない。
【０００９】
また、上記従来例では、ブレーカを誤って切断、もしくは投入しないようにするためには、外付けのハンドルロックを設けることが必要であった。その場合には、外付けのハンドルロックは、ブレーカ入り切りの際にブレーカから取り外す必要があるため、紛失する可能性があるという問題があった。
【００１０】
また、上記従来例では、電力量計測や、通電表示、過電流警報などを行うためには、外付けのセンサやマイコン、表示装置、警報装置を負荷する必要がある。
【００１１】
さらに、従来例では、１個のブレーカに対し、１個の端子変換アダプタが必要であり、多数の分岐ブレーカを使用する場合には大型化するという問題があった。
【００１２】
さらに、従来例では、延接導体の間隔と、端子部の間隔が異なるブレーカを接続できないため、使用できるブレーカの種類が限定されるという欠点があった。
【特許文献１】特開２００２−１９９５１４号公報
【発明の開示】
【発明が解決しようとする課題】
【００１３】
本願発明は、上記従来技術に鑑みてなされたものであり、その目的は、必要スペースを少なくし、接続する電線の引き回しを単純にすることができる端子変換アダプタおよびこの端子変換アダプタを用いた盤を提供することである。
【課題を解決するための手段】
【００１４】
上記課題を解決するために、本願発明の端子変換アダプタは、ブレーカ端子部に接続可能な延接部と電線接続が可能な端子へ接続する端子接続部を有する接続導体と、ブレーカに隣接して配置され前記延接部と端子接続部の一部もしくは全部を収納したケースとを備え、前記端子接続部が、ブレーカのもう一方の端子部と同方向に電線接続されるように配置されたことを特徴とする。
【００１５】
本願の請求項２に係る端子変換アダプタは、請求項１の端子変換アダプタにおいて、前記延接部は、プラグイン端子を有するブレーカのプラグイン端子部に接続可能で、前記端子接続部は、電線と接続可能な接続端子に接続されることを特徴とする。
【００１６】
本願の請求項３に係る端子変換アダプタは、請求項１の端子変換アダプタにおいて、前記ケースは、ブレーカ固定部と機器取付部を有することを特徴とする。
本願の請求項４に係る端子変換アダプタは、請求項１の端子変換アダプタにおいて、前記ケースは、機器取付用レールに取り付け可能な溝を有することを特徴とする。
【００１７】
本願の請求項５に係る端子変換アダプタは、請求項１の端子変換アダプタにおいて、前記ケースに隣接して配置されるブレーカのハンドルロックが設けられていることを特徴とする。
【００１８】
本願の請求項６に係る端子変換アダプタは、請求項１の端子変換アダプタにおいて、前記ケース内に、変流器を有することを特徴とする。
【００１９】
本願の請求項７に係る端子変換アダプタは、請求項１の端子変換アダプタにおいて、前記延接部は、複数のブレーカに取り付けられるように、端子接続部が延びる方向と直角方向に延設されていることを特徴とする。
【００２０】
本願の請求項８に係る端子変換アダプタは、請求項７の端子変換アダプタにおいて、前記アダプタをはさみ、両側にブレーカが取り付け可能であることを特徴とする。
【００２１】
本願の請求項９に係る端子変換アダプタは、請求項７の端子変換アダプタにおいて、前記延接部は三段に構成されていることを特徴とする。
【００２２】
本願の請求項１０に係る端子変換アダプタは、請求項１の端子変換アダプタにおいて、前記延接部は複数段に形成され、延接部の間隔が、可変調整できることを特徴とする。
【００２３】
本願の請求項１１に係る盤は、請求項１〜１０の端子変換アダプタがボックス内に納められていることを特徴とする。
【発明の効果】
【００２４】
本発明の請求項１の端子変換アダプタによれば、端子変換アダプタとブレーカを一体接続したものが、ブレーカの長手方向に短く形成できる。前記端子接続部が、ブレーカのもう一方の端子部と同方向に電線接続されるように配置されているので、ブレーカヘ取り付ける電線の引き回しが容易である。また、ブレーカを高い位置に設置する必要がある場合、ブレーカの下側から電線を接続することが出来るので、容易に電線の接続が行える。
【００２５】
請求項２の発明によれば、請求項１の効果に加え、本発明の端子変換アダプタに電線を容易に接続できる。
【００２６】
請求項３の発明の端子変換アダプタによれば、請求項１の効果に加え、ブレーカをブレーカ固定部を介して、木や鉄などで構成された取り付け板に、容易に固定できる。
【００２７】
請求項４の発明の端子変換アダプタによれば、請求項１の効果に加え、ブレーカをブレーカ固定部を介して、機器取付用レールに容易に接続できる。
【００２８】
請求項５の発明の端子変換アダプタによれば、請求項１の効果に加え、特別な外付け部材を用いることなく、ブレーカのハンドルロックを行うことができる。
【００２９】
請求項６の発明の端子変換アダプタによれば、請求項１の効果に加え、電流計測が可能となり、マイコンや表示装置、アラーム装置と組み合わせることにより、電力量計測や、通電表示、過電流警報などを行うことができる。
【００３０】
請求項７の発明の端子変換アダプタによれば、請求項１の効果に加え、複数個のブレーカを端子変換アダプタに取り付けることができる。
【００３１】
請求項８の発明の端子変換アダプタによれば、請求項７の効果に加え、前記延接部をＴ字型に構成できるので、接続導体の形状を材料取りの良いものにすることができる。
【００３２】
請求項９の発明の端子変換アダプタによれば、請求項７の効果に加え、端子変換アダプタを単相３線式の電路の各相に接続することができる。従って、端子変換アダプタには、１００Ｖ用のブレーカと、２００Ｖ用のブレーカを同時に接続することができる。
【００３３】
請求項１０の発明の端子変換アダプタによれば、請求項１の効果に加え、端子変換アダプタを、端子部の間隔が異なるさまざまなブレーカに適用することが可能になる。
【００３４】
請求項１１の発明によれば、請求項１の効果に加え、盤内にブレーカを収納するので、より安全にブレーカを使用することができる。また、上記複数のブレーカを使用する構成とすることにより、分電盤や増設盤として使用することができる。
【発明を実施するための最良の形態】
【００３５】
本願発明の端子変換アダプタはブレーカに隣接してと一体的に設置され、ケースと接続導体を備える。接続導体はブレーカの一方のプラグイン端子部に接続する延接部と電線接続が可能な接続端子に接続する端子接続部とを有し、ケースは前記延接部と端子接続部の一部もしくは全部を収納する。端子変換アダプタをブレーカと一体接続したので、ブレーカの長手方向に短く形成できる。また、前記接続端子が、ブレーカの他方の端子部と同方向に電線接続されるように配置されているので、ブレーカヘ取り付ける電線の引き回しが容易である。
【００３６】
以下、図１〜図１３により本発明の端子変換アダプタ及びこれを収める分電盤の実施の形態について説明する。
【００３７】
図１及び図２は本発明の請求項１及び２に対応した第１実施例の端子変換アダプタを示す図である。図１はその斜視図で、図２はその分解斜視図である。
【００３８】
この実施例の端子変換アダプタ１は、１個のブレーカ２に隣接して配置され、プラスチック等からなる絶縁性のケース３と、接続導体４、４と、アダプタ側端子５，５と、ハンドルロック６と、ブレーカ固定部であるブレーカ止め７とを有している。
【００３９】
ブレーカ２は、その一方側にはプラグイン端子２１、２１を有し、他方側には速結端子２２、２２を有し、プラグイン端子２１と速結端子２２とはブレーカケース内で導体で導通されている。プラグイン端子２１は、横断面がＵ字状弾性材よりなる部材から形成されている。両プラグイン端子２１は所定の間隔で、開口が外側に向けられて配置され、軸方向が横向きに底面と平行に設けられ、底面と平行に導体が差し込めるようにされている。速結端子２２はブレーカに接続する導線に接続する部材で、電線を差し込むだけで固定接続する。
【００４０】
ケース３は、ブレーカ２のプラグイン端子２１と速結端子２２方向の長さとほぼ同じ長さで、ブレーカ２に隣接する隣接側ケース３１と反対側から覆う覆部側ケース３２とから中空に形成されると共に、台部３３とブレーカ受け部３４を有している。隣接側ケース３１と台部３３とブレーカ受け部３４とは、この第１実施例では、一体に形成されている。隣接側ケース３１と覆部側ケース３２とは、嵌合して一体になるように形成している。
【００４１】
隣接側ケース３１は、天井と底と、ブレーカ側壁を有し、ブレーカから離れた側には壁がなく開放し、覆部側ケース３２と突き合わせて嵌合できるようにしている。一対の長孔３１１，３１１がブレーカ側の側壁に設けられ、一対の接続導体４、４のそれぞれのプラグイン端子２１と接触する側の延接部４１を挿通するようにしている。また、プラグイン端子２１側でブレーカに隣接する隣接側ケース３１の内面壁には、延接部４１をそれぞれ上下から挟んで支える一対の突起３１２，３１２を設けている。
【００４２】
また、隣接側ケース３１は、その天井面に段部が形成され、中央部にはハンドルロック６を設け、ブレーカを誤って切断、もしくは投入しないように安全を図っている。また、隣接側ケース３１の速結端子２２側には２段に段部が形成され、各段部の上面には、アダプタ側端子５，５を設けている。隣接側ケース３１の速結端子２２側の段部端壁面には、接続導体４を係合する切欠溝３１３を設けている。アダプタ側端子５，５に接続導体４、４の延接部４１と反対の他方側の端子接続部４２側を接続している。ハンドルロック６は規制アーム６１をブレーカ２の上面に延ばしねじ部材６２で隣接側ケース３１に固定するようにしている。
【００４３】
覆部側ケース３２は、隣接側ケース３１と突き合わせて一体化するように、嵌合突部３２１を有し、この嵌合突部３２１を隣接側ケース３１に嵌め込むようにしている。覆部側ケース３２は、天井面に隣接側ケース３１に対応した段部を形成し、中央部の最上面にはハンドルロック６を取り付ける取付穴３２２を設け、速結端子２２側の段部上面には、アダプタ側端子５を取り付ける端子用穴３２３を設けている。また、図示していないが、速結端子２２側の段部端壁面には、隣接側ケース３１の切欠溝３１３に対応して接続導体４の端子接続部４２を導出する切欠を設けている。
【００４４】
ケース３の台部３３は、アダプタ側端子５側に形成され、隣接側ケース３１の底と同一高さで外方に延び出した形状をし、平坦面のややブレーカ２側に寄った位置にブレーカ止め７を設け、ブレーカを反対側に押しつけるようにしている。この第１実施例においては、機器取り付け用穴を設けていないが、以下の実施例と同様に、機器取り付け用部として穴を設けてもよい。
【００４５】
ケース３のブレーカ受け部３４は、隣接側ケース３１のブレーカ側底から外方に延ばして形成し、プラグ端子側端部の角にブレーカ固定部３４１を設け、ブレーカ２を端子変換アダプタ１からずれることなく固定できるようにしている。ブレーカ受け部３４はアダプタ側端子５側の台部３３に達して一体化している。
【００４６】
各接続導体４は、概略Ｌ字形状に形成して一端側を延接部４１とし、他端側を端子接続部４２としている。延接部４１は、ケース３から突出して、ブレーカ２のプラグイン端子２１に挿着される。端子接続部４２には、端部に接続穴４３を設け、ねじでケース３に接続導体４を取り付けると同時に接続端子５と導通させている。なお、この接続端子５は、ねじで電線端を固定するねじ端子の他、電線端を差し込んで導通させるようにしたもの、クリップ状の金具等からなるもの等公知の速結端子を使用できる。
【００４７】
端子変換アダプタ１とブレーカ２の組立は、先ずケース３の接続部４２を覆部側ケースに取り付ける。次いで、接続端子４の延接部４１を長孔３１１に挿通すると共に、隣接側ケース３１に覆部側ケース３２を嵌合し、端子変換アダプタ１を組み立てる。次いで、延接部４１にブレーカ２の端子変換アダプタ１を嵌め、台部３３のブレーカ止め７にブレーカ２を押しつけながらブレーカ受け部３４のブレーカ固定部３４１に係合させながら取り付ける。
【００４８】
図３及び図４は本発明の請求項３〜５に対応した第２実施例の端子変換アダプタを示す図である。図３はその斜視図で、図４はその分解斜視図である。
【００４９】
この第２実施例の端子変換アダプタは、上記第１実施例の端子変換アダプタとは、機器を取り付けるための取付部を有しているところが異なるのみであるので、第１実施例と同様の作用の部分については同一符号を付して詳細な説明は省略する。
【００５０】
覆部側ケース３２の底には、図示していない固定部に設けた機器取付用レール等の係合部材（例えば、ＤＩＮレール等）に係合するための、係合溝９を設けている。
【００５１】
ケース３のアダプタ側端子５側に形成された台部３３には、平坦面のところには機器取付部を構成する取付穴８を設けている。
【００５２】
また、ケース３のブレーカ受け部３４は、隣接側ケース３１のプラグイン端子２１側の底部からブレーカ側に延ばして形成すると共に、プラグ端子側から外方へ延ばして平坦面を形成している。そして、この平坦面のところに取付部を構成する取付穴８を設けている。
【００５３】
図５は本発明の請求項６に対応した第３実施例の端子変換アダプタを示す図である。この第３実施例の端子変換アダプタは、上記第１実施例の端子変換アダプタとは、変流器等の機器を設けているところが異なるのみであるので、第１実施例と同様の作用の部分については同一符号を付して詳細な説明は省略する。
【００５４】
ケース３の中空内に変流器１０を設け、変流器１０に導通させた電流を検出する機器を基板１１に設け、基板１１もケース３の中空の内部に収容している。このように構成することにより、マイコンや表示装置、アラーム装置と組み合わせることにより、電力量計測や、通電表示、過電流警報などを行うことができる。
【００５５】
図６及び図７は本発明の請求項７及び９に対応した第４実施例の端子変換アダプタを示す図である。図６はその斜視図で、図７はその分解斜視図である。
【００５６】
この第４実施例の端子変換アダプタは、上記第１実施例の端子変換アダプタとは、３線の端子を有する複数のブレーカと接続するところが異なるのみであるので、第１実施例と同様の作用の部分については同一符号を付して詳細な説明は省略する。
【００５７】
第４実施例の端子変換アダプタは複数のブレーカに対応して、ハンドルロック６の規制アーム６１を長くし、ケース３の台部３３は幅広で、ブレーカ止め７もブレーカ数に対応して設けている。また、ブレーカ受け部３４の係止部３４１も複数個のブレーカを係止するように構成している。また、ブレーカの３線のプラグイン端子２１，２１，２１に接続するように接続導体４を３段に配置している。
【００５８】
図８及び図９は本発明の請求項８に対応した第５実施例の端子変換アダプタを示す図である。図８はその斜視図で、図９はその分解斜視図である。
【００５９】
この第５実施例の端子変換アダプタは、上記第１実施例の端子変換アダプタとは、両面でブレーカと接続するところが異なるのみであるので、第１実施例と同様の作用の部分については同一符号を付して詳細な説明は省略する。
【００６０】
この第５実施例のケース３は、覆部側ケース３２およびその側壁部分、底部分、上面部分等を隣接側ケース３１とほぼ同様に構成している。覆部側ケース３２の内部に接続導体４の延接部４１を支持する突起を設けなくてもよいし、台部３４に取付穴を設けなくてもよい。
【００６１】
図１０〜図１３は本発明の請求項１０に対応した第６実施例の端子変換アダプタを示す図である。図１０はその斜視図で、図１１は図１０と反対側の斜視図、図１２はその分解斜視図、図１３はアダプタ長手方向に沿った断面図である。
【００６２】
この第６実施例の端子変換アダプタは、上記第１実施例の端子変換アダプタとは、ケースを上下方向で分割し、接続導体の間隔を変更可能にしている点で相違しているが、第１実施例と同様の作用の部分については同一符号を付して詳細な説明は省略する。
【００６３】
この実施例の端子変換アダプタ１のケース３は、上部ケース３５と中間ケース３６と下部ケース３７とから構成し、上部ケース３５と下部ケース３７は中間ケース３６に嵌め合わせるようにしている。
【００６４】
上部ケース３５は底面を開放し、上面に段部を形成し、後端壁（図１０手前側）に接続導体４の延接部４１を案内する長孔３５１を設けている。また、段部の垂壁の下部に端子接続部４２を案内する前部長孔３５２を設けている。下段の上面には端子接続部４２の接続穴４３を挿通したアダプタ側端子５を螺着する雌ねじ穴３５３を設けている。そして、長孔３５１から延接部４１を導出し、接続部４２はその接続穴４３にアダプタ側端子５を挿通して雌ねじ穴３５３に螺着し、接続導体４を上部ケース３５に取り付ける。それから、上部ケース３５の開放底部を中間ケース３６の上部に嵌めて重ねる。
【００６５】
中間ケース３６は底を有し、上面に段部を形成し、後方の面に上部ケース３５を嵌め、前方に突出させた部分を形成している。後端壁に接続導体４の延接部４１を案内する開口３６１を設けている。また、段部の垂壁の下部に端子接続部４２を案内する前部長孔３６２を設けている。下段の上部ケースより突出した上面には端子接続部４２の接続穴４３を挿通したアダプタ側端子５を螺着する雌ねじ穴３６３を設けている。さらに、側壁に接続導体４の間隔を調節する調節部材１２を設けている。
【００６６】
調節部材１２は、カム部１２１，ねじ部１２２を有し、カム部１２１が接続導体４の接続部４２に当接し、カム部１２１を回転させて接続部４２を上下に動かすことにより隣接する延接部４１の間隔を調節する。カム部１２１を中間ケース３６の一方の側から貫通して、他方の側壁にねじ部で固着し、カム部１２１の回転位置で固定できるようにしている。
【００６７】
そして、長孔３６１から延接部４１を導出し、接続部４２はその接続穴４３にアダプタ側端子５を挿通して雌ねじ穴３６３に螺着し、接続導体４を中間ケース３６に取り付ける。それから、中間ケース３６を下部ケース３７に嵌める。
【００６８】
下部ケース３７は、上部が開放して底を有し、中間ケース３６の底部を収容し、動かないように固定する。
【００６９】
なお、上述において、単相２線式と３線式を別の実施例としているが、いずれのものも、２線式でも３線式でも差し支えないことは勿論である。また、接続導体を調節する例を上下に重ねるケースの例で説明したが、本発明はこれに限られるものでなく側方に重ね合わせるケースでも同様に、設けることができる。
【００７０】
図１４〜図１５は本発明の請求項１１に対応した上記実施例の端子変換アダプタを使用する分電盤の１例を示す図である。図１４はカバーを除いた平面図、図１５は一部を省略して示したその分解斜視図である。
【００７１】
分電盤ケース１３は、本体部１４とカバー１５とから構成され、本体部１４の一角の近辺の側壁に開口部１６を設け、開口部１６から電線を導入導出する。端子変換アダプタ１とブレーカ２を複数組配列し、アダプタ部端子５と、速結端子２２に電線を接続し、開口部１６から導出する。この場合、アダプタ部端子５と、速結端子２２とは同一側にあるので、本体部の側壁から大きい距離Ｌだけ離して配置する。一方、これらの端子と反対側の電線を接続しない方の側は本体側壁から小さい距離のＳだけ離して配置できる。従って、ケースを小型化できると共に、電線の引き回しを単純化できる。
【図面の簡単な説明】
【００７２】
【図１】本発明の端子変換アダプタの第１実施例を示す斜視図である。
【図２】その分解斜視図である。
【図３】本発明の端子変換アダプタの第２実施例を示す斜視図である。
【図４】その分解斜視図である。
【図５】本発明の端子変換アダプタの第３実施例を示す斜視図である。
【図６】本発明の端子変換アダプタの第４実施例を示す斜視図である。
【図７】その分解斜視図である。
【図８】本発明の端子変換アダプタの第５実施例を示す斜視図である。
【図９】その分解斜視図である。
【図１０】本発明の端子変換アダプタの第６実施例を示す斜視図である。
【図１１】図１０の反対側から見た斜視図である。
【図１２】その分解斜視図である。
【図１３】そのアダプタ長手方向に沿った断面図である。
【図１４】分電盤のカバーを除いて示した平面図である。
【図１５】その一部を省略した斜視図である。
【符号の説明】
【００７３】
１  端子変換アダプタ
２  ブレーカ
３  ケース
３１  隣接側ケース
３２  覆部側ケース
３３  台部
３４  ブレーカ受け部
３５  上部ケース
３６  中間ケース
３７  下部ケース
３１１  長孔
３１２  突起
３１３  切欠溝
３２１  係合突部
３２２  取り穴
３２３  端子用穴
３２４  係合溝
３４１  ブレーカ固定部
４  接続導体
４１  延接部
４２  端子接続部
４３  接続穴
５  アダプタ側端子
６  ハンドルロック
６１  規制アーム
６２  ねじ部材
７  ブレーカ止め
８  取付穴
９  係合溝
１０  変流器
１２  調節部材
１３  分電盤ケース
１４  本体部
１５  カバー
１６  開口部
【図１】
2005135654.tif 000003
【図２】
2005135654.tif 000004
【図３】
2005135654.tif 000005
【図４】
2005135654.tif 000006
【図５】
2005135654.tif 000007
【図６】
2005135654.tif 000008
【図７】
2005135654.tif 000009
【図８】
2005135654.tif 000010
【図９】
2005135654.tif 000011
【図１０】
2005135654.tif 000012
【図１１】
2005135654.tif 000013
【図１２】
2005135654.tif 000014
【図１３】
2005135654.tif 000015
【図１４】
2005135654.tif 000016
【図１５】
2005135654.tif 000017